(57)【要約】精紡機内で起こるエンド切れの修正をうまく行う精紡機の方法が開示される。作動中、精紡機に供給されるスライバー様繊維材料が開繊ローラーによって単繊維にまで開繊される。その単繊維が次に繊維ベールの形態で吸引収集面に輸送され、その収集面は単繊維の移動方向に駆動される。収集面による繊維の移送中、上記繊維ベールは小幅の繊維ストランドに圧縮され次いでその圧縮された繊維ストランドがニッピングラインの下流で撚付けノズルによって精紡されて糸になる。エンド切れが起こった際、繊維材料の供給を中断し、次いで収集面に単繊維がなくなるまで、繊維ストランドがニッピングラインの領域で吸引される。糸つぎ作動は続いて行われることができ、そのいくつかの変形例が以下に記載される。【選択図】図１
2005501184.tif 000002
【特許請求の範囲】
【請求項１】
精紡機内で起こるエンド切れの修正をうまく行う精紡機の方法であって、その作動中、精紡機に供給されるスライバー様繊維材料が開繊ローラーによって単繊維にまで開繊され、その単繊維が繊維ベールの形態で吸引収集面に輸送され、その収集面は単繊維の移動方向に駆動され、上記繊維ベールは上記収集面上で小幅の繊維ストランドに圧縮され次いでその圧縮された繊維ストランドがニッピングラインの下流で撚付けノズルによって精紡されて糸になる方法であって、エンド切れが起こった際に、繊維材料の供給を中断し、次いで収集面に単繊維がなくなるまで、繊維ストランドがニッピングラインの領域で吸引される方法。
【請求項２】
精紡機を再び作動させるために、繊維材料の供給が再び行われ、続いて、収集面にわたって供給された新しく供給された繊維ストランドが、所定の期間ニッピングラインの領域で再び吸引され、次に前記繊維ストランドを撚付けノズルに輸送するために再び吸引され、その吸引作動は消勢される請求項１記載の方法。
【請求項３】
繊維ストランドを吸引した後、収集面の駆動を中断し、続いて、つぎ糸を、後方にすなわち作動送出し方向に対して逆の方向へ、撚付けノズルを通じて、収集面上に配置されている開繊ローラーの領域中に挿通させ、その後、精紡機を再び作動させるため、繊維材料の供給を再び作動させて、収集面を再び駆動する請求項１記載の方法。
【請求項４】
繊維ストランドを吸引した後、収集面を、移動の作動方向に対し反対の方向に一時的に回転させながら、つぎ糸を、後方にすなわち作動送出し方向に対し反対の方向に、撚付けノズルを通じて開繊ローラーの領域に案内させ、こうして、精紡機を再び起動するため、繊維材料の供給が行われ、そして収集面の駆動が移動の作動方向に再び行われる請求項１記載の方法。
【請求項５】
つぎ糸の後方への案内が補助ノズルによって支持される請求項３又は４記載の方法。
【発明の詳細な説明】
【０００１】
発明の背景と概要
本発明は、精紡機内で起こるエンド切れ（ｅｎｄ  ｂｒｅａｋ）の修正をうまく行う精紡機の方法であって、その作動中、精紡機に供給されるスライバー様繊維材料が開繊ローラーによって単繊維にまで開繊され、その単繊維が繊維ベールの形態で吸引収集面に輸送され、その収集面は単繊維の移動方向に駆動され、上記繊維ベールは上記収集面上で小幅の繊維ストランドに圧縮され次いでその圧縮された繊維ストランドがニッピングラインの下流で撚付けノズルによって精紡されて糸になる方法に関する。
【０００２】
従来技術のこの種の精紡機は米国特許第６０５８６９３号に記載されている。この精紡機は吸引開繊ローラーによって機能し、その開繊ローラーは、単繊維を比較的低い速度でかつ繊維ベールの形態で、幾分速く回転する収集面へ輸送し、そしてその吸引開口は、前記単繊維を横方向に移動させて元の繊維ベールが圧縮されて粗糸様繊維ストランドになる程度まで、収集面の移動する方向にテーパーをつけて配置されている。上記圧縮工程は、遅くともニッピングラインの末端で行われ、次にその下流で、前記繊維ストランドは、撚付けノズルによって精紡撚が与えられて糸が製造される。こうして、前記ニッピングラインは撚りブロックとして作動する。いわゆる空気ジェット精紡法で製造される糸と類似の特性を有する糸が製造されるが、この場合、空気ジェット精紡法において一般的なドラフト装置が存在しない。
【０００３】
このような精紡機でエンド切れが起こると、中断された精紡工程を、糸つぎ方法によって再開しなければならない。上記公知の刊行物は、上記精紡機がエンド切れを起こした場合、どのように作動するか開示していない。
【０００４】
本発明の目的は、エンド切れが起こった場合に既知の精紡機を作動させるいくつもの可能な方法を示すことである。別の実施態様で、各種の糸つぎ法を以下に示す。
この目的は、エンド切れが起こった際に、繊維材料の供給を中断し、次いで収集面に単繊維がなくなるまで、繊維ストランドがニッピングラインの領域で吸引される本発明によって達成される。繊維材料供給の中断は、オープンエンドローター精紡法では公知であるが、開繊された単繊維を繊維ベールの形態で収集面に連続的に供給すること（この場合、繊維を続けて引き出すことができない）を避ける実用的な方法である。単繊維を吸引して収集面をきれいにすることは、糸つぎ操作中にさらなる面倒事が起こるのを避けるのに役立つ。吸引を行うため、吸引チューブを設けてもよく、このチューブは、ニッピングラインの上流又は下流に繊維材料の移動方向に配置することができる。吸引チューブは、各精紡ステーションに設置してもよく又は必要であれば保持装置によって精紡ステーションに配置してもよい。しかし、吸引チューブは、個々の各精紡機に配置されて、糸切れ時に収集面に自動的に当てがわれて付勢されるものが実用的である。
【０００５】
上記のような準備を実施した後、精紡機は再び作動させることができ、そしてまた糸つぎ法には多数の変形がある。
【０００６】
精紡機を再び作動させる第一の方法では、繊維材料の供給が再び行われ、続いて、繊維ストランドが、収集面によって供給されて所定の期間ニッピングラインの領域で再び吸引され；その吸引は、前記繊維ストランドを撚付けノズルに輸送するため消勢される。上記方法によって以下のことが保証される。すなわち、精紡機を再び作動させると、第一に、収集面に作動状態が存在し、この状態では、収集面が輸送する単繊維の数が分かっている。この状態が達成されたときのみ、圧縮されたストランドが撚付けノズルに輸送される。
【０００７】
上記方法の第二の変形では、繊維ストランドを吸引した後、収集面の駆動を中断し、続いてつぎ糸を後方にすなわち作動送出し方向に対して逆の方向へ、撚付けノズルを通じて、収集面上に配置されている開繊ローラーの領域中に引き出し、こうして、精紡機を再び作動させるため、繊維材料の供給を再び作動させて、収集面を再び駆動する。この変形では、つぎ糸は、すでに撚付けノズルに挿通されているので、後方にすなわち開繊ローラーの領域中に、簡単に案内されるはずである。つぎ糸は、関連精紡機の巻取機からとることができるか又は糸つぎにのみ使用される補助巻取器からとることができる。つぎ糸の長さは、常に再生産できる長さでなければならない。この場合、収集面を停止させることが実際的である。精紡機を再び作動させるときのみ、すなわち新しい繊維ベールが収集面上に形成されると直ちにつぎ糸の最終末端が収集面上に配置される。つぎ糸を、後方にすなわち開繊ローラーの領域中に供給するため、その領域に当てがうことができる補助ノズルを使用することが有利である。
【０００８】
第三の糸つぎ法では、繊維ストランドを吸引した後、収集面を、移動の作動方向に対し反対の方向に一時的に回転させて、つぎ糸を、後方にすなわち作動送出し方向に対し反対の方向に、撚付けノズルを通じて開繊ローラーの領域に挿通させ、こうして、精紡機を起動するため、移動の作動方向に向けた繊維材料の供給及び収集面の駆動がすべて再び付勢される。つぎ糸は、さきに述べた変形の場合と同様に、すでに撚付けノズルに挿通されているので、収集面を一時的に逆回転させて開繊ローラーの領域に輸送される。必要な場合、収集面をこれに配置された吸引装置とともに旋回させて開繊ローラーから少し離れさせることができる。つぎ糸の末端が開繊ローラーの領域に到達すると直ちに繊維材料の供給を続けることができ、その結果、収集面が駆動の正常な作動方向に駆動される。
【０００９】
図面の簡単な記述
本発明の上記の及びその外の目的、特徴及び利点は、添付図面を参照して述べる以下の本発明の詳細な説明から一層容易に明らかになるであろう。
【００１０】
図１は、本発明の方法を示す、精紡機の部分断面側面図である。
図２は、明確にするため、収集面の前に配置された要素を省略した、図１の矢印ＩＩの方向から見た図である。
図３は、エンド切れを起こし、続いて繊維材料の供給を中断した後の図２に示す装置の図である。
図４は、エンド切れを起こした後、精紡を開始する様々な変形を示す。
図５は、エンド切れを起こした後、精紡を開始する様々な変形を示す。
図６は、エンド切れを起こした後、精紡を開始する様々な変形を示す。
【００１１】
発明の詳細な記述
図１と２に示す精紡機は、繊維材料２を少なくとも１本のスライバーの形態で供給する供給装置１を備えている。その供給装置１の下流に開繊装置３が配置され、その開繊装置３は上記少なくとも１本のスライバー２を単繊維４まで開繊する。続いて、これらの単繊維４は、空気が通過できる吸引収集面５に輸送され、その吸引収集面５は移動方向Ａに走行する輸送ベルト６の外側面で形成されている。上記開繊された単繊維４は幅広の繊維ベール（ｆｉｂｒｅ  ｖｅｉｌ）７の形態で収集面５に取り上げられ、次いで下記のように横方向に幅の狭い繊維ストランド８に圧縮される。
【００１２】
上記圧縮された繊維ストランド８は、ニッピングローラー１０によって、収集面５に対しニッピングライン９で軽く圧迫される。上記ローラー１０の直後の下流に撚付けノズル１１があり、そのノズルで、精紡される糸１２に撚りが生成する。その糸１２は、引取りローラー対１３によって送出し方向Ｂに引き取られる。
【００１３】
上記供給装置１は、精紡操作中、回転方向Ｃで駆動される供給ローラー１４を備えている。供給テーブル１５が、供給ローラー１４に対して配置されて、旋回軸１６のまわりを旋回することができ、そして装荷ばね１７によって供給ローラー１４に対して押し付けられる。供給される繊維材料１２の進入ファンネル１８が上記供給ローラー１４の上流に配置されている。
【００１４】
開繊装置３は、開繊ローラー１９を備え、このローラー１９は、供給ローラー１４と同じ方向すなわち回転方向Ｄで駆動され、その開繊ローラー１９に対して、繊維材料２は繊維ビヤード（ｆｉｂｒｅ  ｂｅａｒｄ）の形態で提供される。開繊ローラー１９の周囲には歯付きコーミング装置２０が設置され、その歯は、好ましくは負の角度を有するフロント（ｆｒｏｎｔ）２２を備えている。開繊ローラー１９は、供給される繊維材料２の幅に対応する有効幅を有している。
【００１５】
開繊ローラー１９の内側には、真空源（図示せず）に接続された吸引装置が配置されている（指摘するのみ）。開繊ローラー１９の周縁に設けられた通孔によって、吸引気流が、開繊されるべき繊維材料２に対して生成して、開繊ローラー１９が比較的低い回転速度、例えば２０００ｒｐｍで駆動される場合でさえ、繊維材料２を歯付きコーミング装置２０中に深く吸引する。開繊ローラー１９の吸引領域２１は約１８０°の角度にわたって広がり、すなわち単繊維４が輸送されると開繊ローラー１９の周縁の幅のある領域が単繊維４によって覆われる（図１に示す空気流の矢印参照）。
【００１６】
輸送ベルト６は、外部から内部へ吸引作用を行うことができる微小通孔を備えている。輸送ベルト６は、この目的を達成するため、織布ふるいベルト２２の形態が有利である。輸送ベルト６の吸引領域２３は、開繊ローラー１９の吸引領域２１が終わる場所からほぼ始まる。輸送ベルト６の吸引領域２３に付属している吸引開口２４は二つの側縁２５と２６を備え、これら側縁は図２に破線で示してある。その吸引領域２３は輸送ベルト６の移動方向Ａに向かってテーパーが付いている。吸引開口２４の側縁２５と２６は、単繊維４をそれらの移動方向に対して横方向に圧縮して粗糸様繊維ストランド８にする装置を形成している。上記吸引開口２４は吸引ハウジング２７内に配置されそしてそのハウジングは導管２８を通じて真空源（図示せず）に接続されている。
【００１７】
ニッピングローラー１０は、上記輸送ベルト６によって、上記圧縮された繊維ストランド８に対して上記ニッピングライン９を形成する。吸引領域２３は、当初幅広であった繊維ベール７を、古典的なドラフト装置の場合と同様に、繊維ベール７の移動方向に対して横方向に圧縮して繊維ストランド８にし、その結果、その圧縮繊維ストランド８は、いわゆるエアジェット精紡の場合に知られているのと同様に、そのストランドの形態で撚付けノズル１１に進入することができる。この繊維ストランド８は、このようにして撚りをかけられ糸１２になる。撚付けノズル１１の下流に配置された送出しローラー対１３は、精紡糸１２を引取り方向Ｂへ、巻取り装置（図示せず）に向かって送り出し、糸１２を、その巻取り装置で巻き取って綾巻きパッケージにする。
【００１８】
上記精紡機の幾何学的配置は、輸送ベルト６の収集面５が開繊ローラー１９の周縁に近接しているので、吸引領域２１の末端に位置する単繊維４を、繊維ベール７の形態で、難なく収集面５に輸送することができるようなものである。輸送ベルト６の周縁速度は、単繊維４が到着するときの単繊維４の速度より大である。
【００１９】
開繊ローラー１９の周縁速度は、このローラーの周縁に通孔があるため、例えばオープンエンドローター精紡法で使用される開繊ローラーの場合より小さくすることができる。前記繊維ビヤードは歯付きコーミング装置２０中に大きく引きのばされるので強いコーミング工程が行われる。コーミング装置の歯のフロント角は好ましくは負の角度であり、負のフロント角は輸送された単繊維４を外側へ送り出そうとするので、単繊維４は吸引領域２１の末端において極めて迅速に収集面５に輸送される。
【００２０】
収集面５に配置された繊維ベール７は、当初むしろ幅広であるが、テーパー付き吸引領域２３があるため、撚付けノズル１１に難なく入れる程度まで、輸送ベルト６上で徐々に横方向に圧迫・圧縮される。吸引開口２４の側縁２５と２６は、互いにＶ字形に広がって、両方の側縁２５と２６が互いに鋭角をなしている。吸引開口２４の初期の幅は、最初輸送ベルト６の有効幅または収集面５の有効幅を形成して、開繊ローラー１９から輸送される繊維ベール７の初期幅に等しい。吸引開口２４の末端領域は、単に比較的幅の狭い吸引スリット２９であり、このスリットは繊維ストランド８を圧縮するように構成されている。
【００２１】
特に図２からわかるように、開繊ローラー１９の横リム３０と３１は、輸送ベルト６が充分に保持される幅であるように設計されている。これらの側縁リム３０と３１によって、収集面５が確実に開繊ローラー１９の周縁にうまく適合するように保証される。横リム３０と３１の直径は、歯付きコーミング装置２０の外径より幾分大きい。
【００２２】
撚付けノズル１１のごく近くに、回転方向Ｅに駆動される前偏向ローラー（ｆｒｏｎｔ  ｄｅｆｌｅｃｔｉｎｇ  ｒｏｌｌｅｒ）３２が輸送ベルト６に対して設けられているが、開繊ローラー１９の後方かつ下方の空間において輸送ベルト６が後偏向ローラー３３にループ状に巻きついている。前記前偏向ローラー３２は、両方の回転方向に回転できる駆動装置３４に接続されている。
【００２３】
上記タイプの精紡機では、精紡糸１２が、どんな理由であれ、操作中に切断することがある。この切断が起こったとき、供給される繊維材料２による閉塞が精紡機に起こらず、さらに精紡機の作動状態を糸つぎ処理によって再開できることが保証されねばならない。
【００２４】
撚付けノズル１１と送出しローラー対１３の間に、糸切れ検出器３５が設置され、この検出器は好ましくは非接触法で精紡糸１２を監視する。糸１２がもはや整合しなくなったとき検出器３５は、電線を通じて、信号を、供給ローラー１４に接続されたカップリングに向かって発し、その信号によって、供給ローラー１４は、糸切れの場合、停止するが、残りの精紡要素は作動し続ける。このように、糸切れの場合、繊維材料２の供給は直ちに中断される。
【００２５】
ニッピングライン９の領域に、吸引ノズル３６が設けられ、このノズルは精紡工程が正常である間、作用しない、すなわち吸引しない。この吸引ノズル３６は、図に示すように、移動方向Ａで、ニッピングライン９の上流又はニッピングライン９の下流に、いずれにしろ撚付けノズル１１の上流に配置することができる。この吸引ノズル３６は、糸切れの際に付勢され、吸引が再付勢されるか又は吸引ノズル３６が図１に示す領域に最初に配置される。その吸引ノズル３６は、糸切れ時に作動するようになる走行維持装置（図示せず）の構成要素であってもよい。
【００２６】
エンド切れが起こった後、繊維ストランド８は、収集面５に単繊維４が完全になくなるまで、ニッピングライン９の領域で吸引されねばならない。このことは、吸引ノズル３６によって吸引されている繊維ストランド３７を破線で画くことによって示してある。この吸引は、精紡機を再び作動させるときに、繊維が起こす閉塞による面倒が全く起こらないという点で有用である。
【００２７】
エンド切れが起こった後、ニッピングローラー１０を旋回させて収集面５から離れさせることは、本発明の目的を達成するために役立つ。この理由のため、ニッピングローラー１０は、旋回軸３９のまわりを旋回できる旋回レバー３８に配置される。吸引ノズル３６は、ニッピングローラー１０を旋回させた後にのみ、ニッピングライン９に向かって配置することが実用的であろう。
【００２８】
図３は、エンド切れが起こり次いで繊維ストランド３７が吸引された後の図２の状態を示す。図３に示す実施態様では、糸が存在せずかつ収集面５上に繊維ベール７が存在していないことが分かるであろう。収集面５は移動方向Ａに駆動され続けているが駆動を続ける必要はない。駆動を続けずに繊維材料が吸引された後、エンド切れを修正するため、収集面５を一時的に停止させることもできる。
【００２９】
図３に示すような実施態様の状態に続いて、精紡機は再び作動させなければならない。図４，５及び６によって、三つの異なる手順を以下に説明する。
【００３０】
図４Ａは図３に示す実施態様に相当する図であるが、別の観点から見た図である。供給ローラー１４が停止しているので繊維材料２の収集面５への供給は中断されているが、輸送ベルト６は移動方向Ａへ駆動され続けている。その前に、収集面５の上に置かれた繊維材料は、吸引ノズル３６によってすでに吸引されてなくなっている。開繊ローラー１９は、一般に回転し続けるが、代わりに停止させてもよい。ニッピングローラー１０は収集面５から上げられている。
【００３１】
精紡機を再び作動させるため、供給ローラー１４を、図４Ｂに図式的に示すように回転方向Ｃに再び駆動させると、再び繊維材料２が開繊ローラー１９によって、単繊維４まで開繊され、繊維ベール７として収集面５に運ばれる。しかし、新たに供給された繊維ストランド３７は、開繊ローラー１９と収集面５の領域に、正常な作動状態に相当する状態が生成したと推定できるまで、当初、特定の期間、ニッピングローラー１０の領域で吸引される。その後、ニッピングローラー１０を下降させて吸引ノズル３６の吸引作動を中断する。この状態を図４Ｃに示す。圧縮された繊維ストランド８はここで、吸引ノズル３６がそのストランドに全く作用することなく、再び、撚付けノズル１１中に進入することができ、続いて、糸１２をさらに送出し方向Ｂに輸送することができる。
【００３２】
図５は、図５Ａ，５Ｂ及び５Ｃで構成されているが、精紡機を再び作動させる別の方法を示す。
【００３３】
図５Ａによれば、ニッピングローラー１０が再び収集面５から上へあげられ、供給ローラー１４は停止している。繊維材料はすでに収集面５から吸引されていて、吸引ノズル３６の吸引作用は中断されている。しかし、この場合は、先に述べた変形と異なり、輸送ベルト６が一時的に停止している。
【００３４】
続いて、図５Ｂによれば、つぎ糸４０が、送出し方向Ｂに対して逆の方向である後方へ、すなわち方向Ｆへ、撚付けノズル１１を通じて開繊ローラー１９の領域中に案内される。この目的を達成するため、矢印方向Ｇに移動可能の補助ノズル４１を設けてもよい。こうして、この目的を達成するため必要な一定の長さのつぎ糸を側面から精紡機中へ配置する。このつぎ糸４０は、作動中の綾巻きパッケージ又は維持装置が輸送する補助ボビンから取り出すことができる。
【００３５】
図５Ｃによれば、この場合、供給ローラー１４を再び作動させて、開繊された単繊維４が、開繊ローラー１９から、再び繊維ベール７の形態で収集面５上に配置されるようにする。この目的を達成するため、輸送ベルト６が再び、移動方向Ａで駆動される。ニッピングライン９まで圧縮された繊維ストランド８（ニッピングローラー１０は再び下げられている）は、つぎ糸４０とともに、再び送出し方向Ｂへ撚付けノズル１１中に進入する。この方法の場合、つぎ糸４０は、単繊維４が再びつぎ糸４０に到達して送出し方向Ｂに引き出されるとき、厚くないすなわち薄い領域が生じるような所定の長さであることが重要である。吸引ノズル３６は、この全糸つぎ工程中、消勢されている。
【００３６】
第三の可能な糸つぎ法を、図６Ａ，６Ｂ及び６Ｃで構成されている図６によって以下に説明する。
【００３７】
図６Ａによれば、供給ローラー１４が停止し、そして吸引ノズル３６が繊維材料を収集面５から吸引している。収集面５は、繊維材料が収集面５から吸引された後、当初、移動方向Ｂに回転し続けるか又は停止させることができる。
【００３８】
図６Ｂによれば、つぎ糸４０が、作動方向Ｂに対して逆の方向に後方へ撚付けノズル１１中に挿通されて、方向Ｆにすなわち後方へ開繊ローラー１９の領域に案内され、吸引ノズル３６は作動していない。つぎ糸４０を後方に案内するため、この場合、通常の作動方向Ａに対して逆の方向すなわち方向Ｈに一時的に回転する収集面５を補助として利用する。こうして、つぎ糸４０の末端が開繊ローラー１９の領域に到達する。
【００３９】
つぎ糸４０は補助ノズル（図示せず）によって輸送ベルト６上に配置することができる。
【００４０】
つぎ糸４０が開繊ローラー１９の領域に到達すると直ちに、供給ローラー１４を再び駆動することができる。同時に輸送ベルト６は移動方向Ａに駆動される。開繊ローラー１９によって開繊された単繊維４は再び、繊維ベール７の形態で収集面５に到達し、次いで、下げられているニッピングローラー１０に到達して糸１２が精紡され、再び、送出し方向Ｂで送出しローラー対１３（図示せず）に送られる。
【図面の簡単な説明】
【００４１】
【図１】本発明の方法を示す、精紡機の部分断面側面図である。
【図２】明確にするため、収集面の前に配置された要素を省略した、図１の矢印ＩＩの方向から見た図である。
【図３】エンド切れを起こし、続いて繊維材料の供給を中断した後の図２に示す装置の図である。
【図４】エンド切れを起こした後、精紡を開始する様々な変形を示す。
【図５】エンド切れを起こした後、精紡を開始する様々な変形を示す。
【図６】エンド切れを起こした後、精紡を開始する様々な変形を示す。
【図１】
2005501184.tif 000003
【図２】
2005501184.tif 000004
【図３】
2005501184.tif 000005
【図４】
2005501184.tif 000006
【図５】
2005501184.tif 000007
【図６】
2005501184.tif 000008
【国際公開パンフレット】
2005501184.tif 000009
2005501184.tif 000010
2005501184.tif 000011
2005501184.tif 000012
2005501184.tif 000013
2005501184.tif 000014
2005501184.tif 000015
2005501184.tif 000016
2005501184.tif 000017
2005501184.tif 000018
2005501184.tif 000019
2005501184.tif 000020
2005501184.tif 000021
2005501184.tif 000022
2005501184.tif 000023
2005501184.tif 000024
2005501184.tif 000025
2005501184.tif 000026
2005501184.tif 000027
2005501184.tif 000028
2005501184.tif 000029
2005501184.tif 000030
2005501184.tif 000031
【国際調査報告】
2005501184.tif 000032
2005501184.tif 000033
2005501184.tif 000034
2005501184.tif 000035
2005501184.tif 000036
2005501184.tif 000037